(57)【特許請求の範囲】
【請求項１】
１ビットディジタル信号の２つの状態を表す信号レベルを有する入力信号を受信する入力装置において、
上記入力信号のレベルが閾値よりも大きいか小さいかを検出する弁別器を備え、
上記弁別器の入力は、上記閾値よりも大きなレベルと該閾値よりも小さなレベルとの間で変化するバイアス信号でバイアスされ、該バイアス信号の交流成分の振幅は、上記入力信号の交流成分の振幅よりも小さいことを特徴とする入力装置。
【請求項２】
上記入力信号は、伝送路を介して供給され、該伝送路を終端するためのインピーダンスを有する終端器を備え、
上記終端器の一端は、上記伝送路に接続され、他端には、上記閾値のレベルと略等しいレベルが印加されていることを特徴とする請求項１記載の入力装置。
【請求項３】
上記バイアス信号は、上記伝送路のインピーダンスよりも大きな結合インピーダンスを介して上記弁別器の入力に供給されることを特徴とする請求項２記載の入力装置。
【請求項４】
上記バイアス信号は、上記閾値よりも大きな時間と小さな時間の比率が等しく、該閾値よりも大きなレベルと小さなレベル間で変化することを特徴とする請求項１乃至３のいずれか１項記載の入力装置。
【請求項５】
上記バイアス信号は、上記１ビットディジタル信号のビットレートに略等しい周波数で、上記閾値よりも大きなレベルと小さなレベル間を周期的に変化することを特徴とする請求項４記載の入力装置。
【請求項６】
上記バイアス信号の交流成分の振幅は、上記弁別器のヒステリシス特性よりも大きいことを特徴とする請求項１乃至５のいずれか１項記載の入力装置。
【請求項７】
上記入力信号は、交流結合にて上記弁別器に供給されることを特徴とする請求項１乃至６のいずれか１項記載の入力装置。
【発明の詳細な説明】
【０００１】
【発明が属する技術分野】
本発明は、１ビットディジタル信号処理における入力装置に関する。例えば、本発明は、１ビットディジタル音声信号を受信する入力装置に関する。
【０００２】
【従来の技術】
例えば同軸ケーブル等の伝送路を介してディジタル信号処理装置で受信される１ビットのディジタル信号（以下、単に１ビットディジタル信号という。）は、通常、閾値と比較する弁別器又はスライサを用いて波形整形される。弁別器は、受信された１ビットディジタル信号が閾値より大きいか小さいかに基づいて、１ビットディジタル信号の２つの状態を表す２値の信号を出力する。
【０００３】
【発明が解決しようとする課題】
しかし、例えば同軸ケーブルが外されたり、送信側の装置の電源が切断されたとき、弁別器は、実際に１ビットディジタルオーディオシステムにおける非常に大きな値を表すことになる同じ値を連続して出力する。１ビットディジタルオーディオシステムにおいて、これは、後段の信号処理装置の過負荷を引き起こすことになる。
【０００４】
本発明は、上述した実情に鑑みてなされたものであり、本発明の目的は、例えば入力装置から接続ケーブルが外されたり、１ビットディジタル音声信号を同軸ケーブルを介して供給する装置の電源が切断されたりして、１ビットディジタル音声信号の供給が停止されても、１ビットディジタルオーディオシステムで無音を表す１と０が交互に連続した出力信号を出力することができる入力装置を提供することである。
【０００５】
【課題を解決するための手段】
本発明に係る入力装置は、１ビットディジタル信号の２つの状態を表す信号レベルを有する入力信号を受信する入力装置において、入力信号のレベルが閾値よりも大きいか小さいかを検出する弁別器を備える。弁別器の入力は、閾値よりも大きなレベルと小さなレベルとの間で変化するバイアス信号でバイアスされ、バイアス信号の交流成分の振幅は、入力信号の交流成分の振幅よりも小さい。
【０００６】
そして、この入力装置では、例えば１ビットの「ディジタル的に無音」を表すバイアス信号（例えば１と０の交互の繰り返し、又は０１１０１００１等の１と０の数が略等しいパターンの繰り返し）を弁別器に供給する。バイアス信号の交流成分は、受信される１ビットディジタル信号（以下、単に受信１ビットディジタル信号という。）の交流成分よりも小さく、受信１ビットディジタル信号が存在するときは、バイアス信号は、受信１ビットディジタル信号に殆ど影響を与えることがなく、実質的に受信１ビットディジタル信号からデータを正常に検出することができる。一方、受信１ビットディジタル信号がなくなると、弁別器は、バイアス信号に応じて動作し、同じ値が連続したビットではなく、「ディジタル的に無音」のディジタル信号（１と０の連続）を出力する。
【０００７】
【発明の実施の形態】
以下、本発明に係る入力装置ついて図面を参照しながら説明する。
【０００８】
図１は、例えば音声信号をデルタ−シグマ変調して得られる１ビットのディジタル音声信号（以下、単に１ビットディジタル音声信号という。）を処理するディジタル信号処理装置の入力装置の構成を示すブロック図である。
【０００９】
入力装置１０は、図１に示すように、同軸ケーブル２０からなる伝送路を介して１ビットディジタル音声信号が供給され、１ビットディジタル音声信号を、オーディオミキサコンソール等のディジタル信号処理装置内に設けられた後段の信号処理装置に出力する。
【００１０】
この実施例において、同軸ケーブル２０を伝送される１ビットディジタル音声信号のレベルは、標準では、ディジタルの０が０ボルトであり、１が５ボルトとなっている。
【００１１】
入力装置１０において、例えばシュミットトリガ回路からなる弁別器１１は、同軸ケーブル２０を介して受信される１ビットディジタル音声信号を波形整形し、同軸ケーブル２０からの１ビットディジタル音声信号が、例えば２．５ボルトからなる閾値電圧よりも大きいか小さいかに応じて、例えばディジタルの０が０ボルトであり、１が５ボルトである１ビットディジタル音声信号を出力する。したがって、同軸ケーブル２０を介して伝送されてくる１ビットディジタル音声信号に雑音が重畳したり、そのレベルが低下しても、弁別器１１は、ディジタルの１と０を表す定義された電圧を有する１ビットディジタル音声信号を再生して出力する。
【００１２】
同軸ケーブル２０は、この同軸ケーブルの特性インピーダンスに等しい抵抗値（この場合、７５オーム）を有する終端抵抗１２で終端されており、この終端抵抗１２は、弁別器１１の入力端子に接続されているとともに、その他端には閾値電圧と等しい電圧（この場合、２．５ボルト）が印加されている。同様に、例えば矩形波発生器等のディジタル的に無音の信号（例えば０ボルトから５ボルトの範囲内）を発生する無音信号発生器１３は、より大きな値（この実施例では、１５００オーム）の抵抗１４を介して弁別器１１の入力端子に接続されている。
【００１３】
７５オームの終端抵抗１２よりも１５００オームの抵抗１４が大きいので、同軸ケーブル２０は、単に直接７５オームの終端抵抗で終端されていると見なすことができ、同軸ケーブル２０を介して入力される１ビットディジタル音声信号は、殆ど弁別器１１で受信される。したがって、同軸ケーブル２０を介して１ビットディジタル音声信号が供給されると、弁別器１１は、約０〜５ボルトの範囲内で変化する１ビットディジタル音声信号を受信し、正確に出力信号を後段の信号処理装置に出力する。
【００１４】
無音信号発生器１３は、０〜５ボルトの範囲で変化する出力信号を生成し、２つの抵抗（１５００オームの抵抗１４と７５オームの終端抵抗１２）は、分圧器として機能して、peak-to-peakの振幅が約１／４ボルトの矩形波を弁別器１１の入力端子に印加する。終端抵抗１２に閾値電圧ＶＴＨＲを印加することにより、弁別器１１の入力端子には、閾値電圧ＶＴＨＲを中心としてpeak-to-peakが約１／４ボルトの矩形波が印加される。
【００１５】
そして、１ビットディジタル音声信号が同軸ケーブル２０を介して供給されると、この交流のバイアス電圧は無視することができる。
【００１６】
ところで、例えば入力装置１０から接続ケーブルが外されたり、１ビットディジタル音声信号を同軸ケーブル２０を介して供給する装置の電源が切断されたりして、１ビットディジタル音声信号の供給が停止されると、弁別器１１は、閾値電圧ＶＴＨＲを中心とした交流のバイアス電圧のみを受信し、１と０が交互に連続した（１ビットディジタルオーディオシステムでは無音を表す）出力信号を出力する。
【００１７】
終端に用いられる２つの抵抗１２，１４の値と弁別器１１の閾値電圧は、バイアス信号の交流成分が弁別器１１のヒステリシス特性よりも大きくなるような値とされる。例えば、この実施例では、バイアス信号のpeak-to-peakが１／４ボルトとされる。
【００１８】
なお、本発明は、上述した実施例に限定されるものではなく、例えば、入力信号をコンデンサ（図示せず）を介して弁別器１１に交流結合で入力するようにして、入力信号が全て１又は０となるときに、弁別器１１の入力端子を、弁別器１１に影響を与えない相対的に小さなバイアス信号のレベルに引っぱらないようにしてもよい。すなわち、１ビットディジタル音声信号を交流結合コンデンサを介して弁別器１１に入力し、弁別器１１の閾値電圧を０ボルトするとともに、終端抵抗１２の他端を接地するようにしてもよい。
【００１９】
【発明の効果】
以上の説明でも明らかなように、本発明に係る入力装置では、入力信号のレベルが閾値より大きいか小さいかを検出する弁別器を備え、弁別器の入力を、閾値よりも大きなレベルと閾値よりも小さなレベルとの間で変化するバイアス信号でバイアスし、バイアス信号の交流成分の振幅を、入力信号の交流成分の振幅よりも小さくしているので、例えば入力装置から接続ケーブルが外されたり、１ビットディジタル音声信号を同軸ケーブルを介して供給する装置の電源が切断されたりして、１ビットディジタル音声信号の供給が停止されても、１ビットディジタルオーディオシステムで無音を表す１と０が交互に連続した出力信号を出力することができる。
【図面の簡単な説明】
【図１】  本発明に係る入力装置の一具体的な構成を示すブロック図である。
【符号の説明】
１０  入力装置、１１  弁別器、１２  終端抵抗、１３  無音信号発生器、１４抵抗、２０  同軸ケーブル
【図１】
0003812769.tif 000002